(57)【要約】【課題】燃料と酸化剤とが混合可能な距離を確保し、更に、それぞれの吸気管に向かう気体の流速が異なる場合でも、酸化剤と燃料とを均一に混合することができるガスエンジンおよびこれを備えた船舶を提供することを目的とする。【解決手段】気体が流れる吸気通路１０と、吸気通路１０が気体の流れ方向の下流の分岐部１４にて分岐され、下流端にてシリンダ１６に開口する複数の吸気管１２Ａ，１２Ｂと、吸気通路１０内に燃料を噴射する燃料噴射手段３１とを備えるガスエンジン１であって、燃料噴射手段３１は、分岐部１４よりも気体の流れ方向の上流に設けられるとともに、複数の吸気管１２Ａ，１２Ｂに対してそれぞれ異なる量の燃料を噴射するガスエンジン１。【選択図】図１
2019157819.tif 000002
【特許請求の範囲】
【請求項１】
気体が流れる吸気通路と、
該吸気通路が、気体の流れ方向の下流の分岐部にて分岐され、下流端にてシリンダに開口する複数の吸気管と、
前記吸気通路内に燃料を噴射する燃料噴射手段と、
を備えるガスエンジンであって、
前記燃料噴射手段は、前記分岐部よりも気体の流れ方向の上流に設けられるとともに、複数の前記吸気管に対してそれぞれ異なる量の燃料を噴射するガスエンジン。
【請求項２】
前記燃料噴射手段は、複数の噴射口を有する１本の噴射管を備え、複数の前記噴射口は複数の方向に向かってそれぞれ１つ以上形成され、一の前記吸気管に向かう方向に向けられた１つ以上の前記噴射口の総面積が、他の前記吸気管に向かう方向に向けられた１つ以上の前記噴射口の総面積と異なる請求項１に記載のガスエンジン。
【請求項３】
前記噴射管が有する複数の前記噴射口は、一の前記吸気管に向かう方向に向けられた１つ以上の前記噴射口の、面積が同一とされたそれぞれの面積が、他の前記吸気管に向かう方向に向けられた１つ以上の前記噴射口の、面積が同一とされたそれぞれの面積と異なる請求項２に記載のガスエンジン。
【請求項４】
前記噴射管が有する複数の前記噴射口は面積が同一とされ、一の前記吸気管に向かう方向に向けられた１つ以上の前記噴射口の数が、他の前記吸気管に向かう方向に向けられた１つ以上の前記噴射口の数と異なる請求項２に記載のガスエンジン。
【請求項５】
前記噴射管は、複数の前記吸気管のそれぞれに向かう気体の流れのうち、流速が速い気体の流れに寄せられて配置されている請求項２乃至４のいずれかに記載のガスエンジン。
【請求項６】
前記燃料噴射手段は、複数の噴射口を有する１本の噴射管を備え、
前記噴射管は、複数の前記吸気管のそれぞれに向かう気体の流れのうち、流速が速い気体の流れに寄せられて配置されている請求項１に記載のガスエンジン。
【請求項７】
前記燃料噴射手段は、前記噴射管を軸線周りに回転可能な回転機構を備えている請求項２乃至６のいずれかに記載のガスエンジン。
【請求項８】
複数の前記噴射口は、気体の流れ方向の下流側に向かって形成されている請求項２乃至７のいずれかに記載のガスエンジン。
【請求項９】
気体が流れる吸気通路と、
該吸気通路が、気体の流れ方向の下流の分岐部にて分岐され、下流端にてシリンダに開口する複数の吸気管と、
前記吸気通路内に燃料を噴射する燃料噴射手段と、
を備えるガスエンジンであって、
前記燃料噴射手段は、前記分岐部よりも気体の流れ方向の上流に設けられるとともに、複数の前記吸気管に対して燃料を噴射するガスエンジン。
【請求項１０】
請求項１乃至９のいずれかに記載のガスエンジンを備えた船舶。
【発明の詳細な説明】
【技術分野】
【０００１】
本発明は、ガスエンジンおよびこれを備えた船舶に関する。
【背景技術】
【０００２】
ガスエンジンにおいては、燃料ガスと空気とを均一に混合した状態で燃焼させるために、シリンダの上流に位置する過給機の前に燃料ガスを供給して、予め燃料ガスと空気とを混合させることがある。
【０００３】
前述のガスエンジンを舶用ガスエンジンとして使用する場合、防爆などの安全性を考慮して、燃料ガス系統を二重管にする必要があり、過給機の前に燃料ガスを供給する場合、ガスエンジン全体を二重管とする必要があり、装置の大型化やコストの増加が懸念される。
【０００４】
特許文献１のように、シリンダの吸気弁の手前に配置される複数の通路それぞれに、複数の開口を有した燃料ガス用の噴射ノズルを配置することで、装置の大型化やコストの増加という課題は対処できる。
【先行技術文献】
【特許文献】
【０００５】
【特許文献１】特開２００８−１３８５６５号公報
【発明の概要】
【発明が解決しようとする課題】
【０００６】
ところが、特許文献１においては、燃料ガス供給からシリンダまでの距離が短いために、燃料ガスと空気とが十分に混合されない可能性がある。また、各通路内を流通する気体の流速が通路ごとに異なる場合、空気に対する燃料ガスの濃度が通路ごとに不均一になり、シリンダ内における空気と燃料ガスの燃焼が不均一になる可能性がある。燃料ガスと空気とが十分に混合されなかったり、燃料ガスの濃度が通路ごとに不均一であったりした場合、シリンダ内で点火が行われたとき、ＮＯｘの発生、ノッキングの発生、未燃分の増加などの事象が発生する可能性がある。
【０００７】
本発明はこのような事情を鑑みてなされたものであって、燃料と酸化剤とが混合可能な距離を確保し、更に、それぞれの吸気管に向かう気体の流速が異なる場合でも、酸化剤と燃料とを均一に混合することができるガスエンジンおよびこれを備えた船舶を提供することにある。
【課題を解決するための手段】
【０００８】
上記課題を解決するために、本発明のガスエンジンおよびこれを備えた船舶は以下の手段を採用する。
すなわち、本発明の一態様に係るガスエンジンは、気体が流れる吸気通路と、該吸気通路が、気体の流れ方向の下流の分岐部にて分岐され、下流端にてシリンダに開口する複数の吸気管と、前記吸気通路内に燃料を噴射する燃料噴射手段とを備えるガスエンジンであって、前記燃料噴射手段は、前記分岐部よりも気体の流れ方向の上流に設けられるとともに、複数の前記吸気管に対してそれぞれ異なる量の燃料を噴射する。
【０００９】
本態様に係るガスエンジンにおいて、燃料噴射手段は、分岐部よりも気体の流れ方向の上流に設けられている。これによれば、吸気通路の下流に位置する吸気管に燃料を噴射した場合と比べて、燃料（例えば、燃料ガス）と酸化剤（例えば、空気）とが混合し得る距離が長くなり、酸化剤と燃料とを均一に混合しやすくなる。また、燃料噴射手段は、複数の吸気管に対してそれぞれ異なる量の燃料を噴射できる。これによれば、例えば、気体（例えば、空気と燃料ガスとの混合気体）の流速が早くなる吸気管に対しては、燃料量を増加させて、気体の流速が遅くなる吸気管に対しては、燃料量を減少させることができる。これによって、それぞれの吸気管に向かう気体の流速が異なる場合でも、それぞれの吸気管を介してシリンダ内（燃焼室）に供給される混合気体の燃料濃度を吸気管によらず均一にすることができる。ひいては、燃焼室における酸化剤と燃料との混合気体の燃焼を均一化することができる。これにより、ＮＯｘの発生、ノッキングの発生、未燃分の増加などの事象を抑制することができる。
【００１０】
また、本発明の一態様に係るガスエンジンにおいて、前記燃料噴射手段は、複数の噴射口を有する１本の噴射管を備え、複数の前記噴射口は複数の方向に向かってそれぞれ１つ以上形成され、一の前記吸気管に向かう方向に向けられた１つ以上の前記噴射口の総面積が、他の前記吸気管に向かう方向に向けられた１つ以上の前記噴射口の総面積と異なる。
【００１１】
本態様に係るガスエンジンによれば、一の吸気管に向かう方向を向いている噴射口の総面積が、他の吸気管に向かう方向を向いている噴射口の総面積と異なるので、供給される燃料量を複数の方向ごと（複数の吸気管ごと）に調節することができる。例えば、気体（例えば、空気などの酸化剤と燃料ガスとの混合気体）の流速が早くなる吸気管に対しては、燃料量を増加させて、気体の流速が遅くなる吸気管に対しては、燃料量を減少させることができる。
【００１２】
また、本発明の一態様に係るガスエンジンにおいて、前記噴射管が有する複数の前記噴射口は、一の前記吸気管に向かう方向に向けられた１つ以上の前記噴射口の、面積が同一とされたそれぞれの面積が、他の前記吸気管に向かう方向に向けられた１つ以上の前記噴射口の、面積が同一とされたそれぞれの面積と異なる。
【００１３】
本態様に係るガスエンジンによれば、それぞれの方向に向かって形成された噴射口の総面積をそれぞれ異なるものとできる。例えば、吸気管を２つとした場合（即ち、吸気管に向かう方向の数を２方向とした場合）であって、それぞれの方向に向けられた噴射口の数が同じ場合（例えば３ずつとする）、一の吸気管に向かう方向の噴射口の全ての面積をそれぞれ１とし、他の吸気管に向かう方向の噴射口の全ての面積をそれぞれ２とすれば、一の吸気管に向かう方向を向く噴射口の総面積を３として、他の吸気管に向かう方向を向く噴射口の総面積を６とすることができる。
【００１４】
また、本発明の一態様に係るガスエンジンにおいて、前記噴射管が有する複数の前記噴射口は面積が同一とされ、一の前記吸気管に向かう方向に向けられた１つ以上の前記噴射口の数が、他の前記吸気管に向かう方向に向けられた１つ以上の前記噴射口の数と異なる。
【００１５】
本態様に係るガスエンジンによれば、それぞれの方向に向かって形成された噴射口の総面積をそれぞれ異なるものとできる。例えば、吸気管を２つとした場合（即ち、方向の数を２方向とした場合）であって、全ての噴射口の面積が同一の場合（例えば１とする）、一の吸気管に向かう方向の噴射口の数を３つとし、他の吸気管に向かう方向の噴射口の数を２つとすれば、一の吸気管に向かう方向を向く噴射口の総面積を３として、他の吸気管に向かう方向を向く噴射口の総面積を２とすることができる。
【００１６】
また、本発明の一態様に係るガスエンジンにおいて、前記噴射管は、複数の前記吸気管のそれぞれに向かう気体の流れのうち、流速が速い気体の流れに寄せられて配置されている。
【００１７】
本態様に係るガスエンジンによれば、それぞれの方向に向けて噴射される燃料量を、噴射管の配置によって調節することができる。例えば、複数の吸気管に向かう気体の流れのうち、流速の速い気体の流れに噴射管を寄せて配置することで、気体の流速が早くなる吸気管に対しては、燃料量を増加させて、気体の流速が遅くなる吸気管に対しては、燃料量を減少させることができる。
【００１８】
また、本発明の一態様に係るガスエンジンにおいて、前記燃料噴射手段は、複数の噴射口を有する１本の噴射管を備え、前記噴射管は、複数の前記吸気管のそれぞれに向かう気体の流れのうち、流速が速い気体の流れに寄せられて配置されている。
【００１９】
本態様に係るガスエンジンによれば、それぞれの方向に向けて噴射される燃料量を、噴射管の配置によって調節することができる。例えば、複数の吸気管に向かう気体の流れのうち、流速の速い気体の流れに噴射管を寄せて配置することで、流速が早くなる吸気管に対しては、燃料量を増加させて、気体の流速が遅くなる吸気管に対しては、燃料量を減少させることができる。これによって、それぞれの吸気管に向かう気体の流速が異なる場合でも、それぞれの吸気管を介してシリンダ内（燃焼室）に供給される混合気体の燃料濃度を吸気管によらず均一にすることができる。ひいては、燃焼室における酸化剤と燃料との混合気体の燃焼を均一化することができる。これにより、ＮＯｘの発生、ノッキングの発生、未燃分の増加などの事象を抑制することができる。
【００２０】
また、本発明の一態様に係るガスエンジンにおいて、前述の前記燃料噴射手段は、前記噴射管を軸線周りに回転可能な回転機構を備えている。
【００２１】
本態様に係るガスエンジンにおいて、燃料噴射手段は、噴射管を軸線周りに回転可能な回転機構を備えている。これによれば、それぞれの方向に向けて供給される燃料量を、噴射管の回転によって調節することができる。これによって、酸化剤と燃料との混合を促進する最適な方向に燃料を噴射できる。このとき、噴射管の回転角度はガスエンジンの出力や回転数の変化に応じて決定されても良く、例えば、実験によって予め得られたデータから作成されたマップ（例えば、出力と回転数をパラメータとする）から決定される。
【００２２】
また、本発明の一態様に係るガスエンジンにおいて、前述の複数の前記噴射口は、気体の流れ方向の下流側に向かって形成されている。
【００２３】
本態様に係るガスエンジンによれば、ガスエンジンの低出力時に、シリンダ側から気体が逆流した場合でも、複数の噴射口から噴射される燃料は、気体の上流側に噴射されないので、複数の噴射口から噴射された燃料は逆流しにくくなる。これによって、燃料が気体の下流側に設置されているインタークーラ側に逆流することを防ぐことができる。
【００２４】
また、本発明の一態様に係るガスエンジンは、気体が流れる吸気通路と、該吸気通路が、気体の流れ方向の下流の分岐部にて分岐され、下流端にてシリンダに開口する複数の吸気管と、前記吸気通路内に燃料を噴射する燃料噴射手段と備えるガスエンジンであって、前記燃料噴射手段は、前記分岐部よりも気体の流れ方向の上流に設けられるとともに、複数の前記吸気管に対して燃料を噴射するガスエンジン。
【００２５】
本態様に係るガスエンジンにおいて、燃料噴射手段は、分岐部よりも気体の流れ方向の上流に設けられている。これによれば、吸気通路の下流に位置する吸気管に燃料を噴射した場合と比べて、燃料（例えば、燃料ガス）と酸化剤（例えば、空気）とが混合し得る距離が長くなり、酸化剤と燃料とを均一に混合しやすくなる。これにより、燃焼室における酸化剤と燃料との混合気体の燃焼を均一化することができるので、ＮＯｘの発生、ノッキングの発生、未燃分の増加などの事象を抑制することができる。
【００２６】
また、本発明の一態様に係る船舶は、前述のガスエンジンを備えている。
【発明の効果】
【００２７】
本発明によれば、燃料と酸化剤とが混合可能な距離を確保し、更に、それぞれの吸気管に向かう気体の流速が異なる場合でも、酸化剤と燃料とを均一に混合することができるガスエンジンおよびこれを備えた船舶を提供できる。
【図面の簡単な説明】
【００２８】
【図１】本発明の第１実施形態に係るガスエンジンのシリンダ付近の構成を示す縦断面図である。
【図２】本発明の第１実施形態に係るガスエンジンのシリンダヘッドの平面図である。
【図３】本発明の第１実施形態に係るガスエンジンが備える吸気通路の斜視図である。
【図４】図３の平面図である。
【図５】本発明の第１実施形態に係るガスエンジンが備える噴射管の（Ａ）平面図、（Ｂ）展開図、（Ｃ）切断線Ｉ−Ｉにおける縦断面図である。
【図６】本発明の第２実施形態に係るガスエンジンが備える噴射管の（Ａ）平面図、（Ｂ）展開図、（Ｃ）切断線ＩＩ−ＩＩにおける縦断面図である。
【図７】本発明の第３実施形態に係るガスエンジンが備える吸気通路の平面図である。
【図８】軸線周りに回転した噴射管の（Ａ）平面図、（Ｂ）展開図、（Ｃ）切断線ＩＩＩ−ＩＩＩにおける縦断面図である。
【図９】回転数と出力に基づくマップの一例を示した図である。
【発明を実施するための形態】
【００２９】
以下に、本発明の一実施形態に係るガスエンジンについて、図１乃至９を用いて説明する。
【００３０】
〔第１実施形態〕
以下に、本発明の第１実施形態に係るガスエンジンについて、図１乃至５を用いて説明する。
まず、本実施形態に係るガスエンジン１の構成について説明する。
図１には、本実施形態のガスエンジン１が備えるシリンダ１６付近の構成が示されている。シリンダ１６は筒状とされ、その上部にシリンダヘッド１６ａが取り付けられ、シリンダ１６内には、シリンダ１６内を往復摺動するピストン（図示せず）が収められている。また、シリンダ１６内には、シリンダ１６の内壁とピストンとによって区画された燃焼室１８が形成されている。
【００３１】
シリンダ１６に取り付けられているシリンダヘッド１６ａの上部に設けられた吸気口２２Ａ，２２Ｂには、後述の吸気通路１０と連通している曲管状の吸気管１２Ａ，１２Ｂの一端（気体の流れの下流側の端部）が接続されている（図２参照）。
【００３２】
シリンダヘッド１６ａの吸気口２２Ａ，２２Ｂと吸気管１２Ａ，１２Ｂとの接続部分には、外形が漏斗状とされた吸気バルブ２０Ａ，２０Ｂが設置されている。吸気バルブ２０Ａ，２０Ｂは、漏斗状のテーパ部分がシリンダヘッド１６ａに設けられた吸気口２２Ａ，２２Ｂを図１で示す下側から塞ぐように、図示しない機構によって図１で示す上側に付勢されているが、必要に応じて（例えば、シリンダ１６への吸気時）吸気バルブ２０Ａ，２０Ｂをシリンダ１６内に押し下げることで、吸気管１２Ａ，１２Ｂと燃焼室１８とを連通させることができる。
【００３３】
吸気通路１０は、図１で示す上下方向に延在する通路を形成している。また、吸気通路１０内には、燃料ガスを噴射する燃料噴射手段３１が設置されている。
【００３４】
図１に示すように、吸気管１２Ａ，１２Ｂは、吸気通路１０が分岐部１４にて２方向に分岐された曲管状の通路とされる。本実施形態においては、図１で示す経路が長い方の吸気管を吸気管１２Ａとし、経路が短い方の吸気管を吸気管１２Ｂとする。
【００３５】
次に、前述の燃料噴射手段３１について説明する。
本実施形態において、燃料ガスを吸気通路１０内に噴射する燃料噴射手段３１は、吸気管１２Ａと吸気管１２Ｂに対して、それぞれ異なる量の燃料ガスを噴射することができる。
【００３６】
以下、燃料噴射手段３１について詳細に説明する。
燃料噴射手段３１は、図３，４に示すように、１本の噴射管４０を備えている。噴射管４０は、吸気通路１０内の中心付近に位置するように軸線方向に沿って吸気通路１０に直交するように挿入されて設けられている。
【００３７】
噴射管４０は、図５（Ａ），（Ｂ），（Ｃ）に示すように、軸線方向に２列、軸線に対して対称に（図５（Ｃ）で示す水平面に対してなす角θを参照）、２つの方向にそれぞれ向けられた複数の噴射口４２が穿設されている。図５（Ａ），（Ｂ），（Ｃ）の場合、一の方向に向く複数の噴射口を噴射口４２Ａとし、他の方向を向く複数の噴射口を噴射口４２Ｂとしている。なお、噴射口４２Ａの数と噴射口４２Ｂの数は等しい。また、複数の噴射口４２Ａの面積は全て等しく、複数の噴射口４２Ｂの面積は全て等しい。ここで言う一の方向とは、例えば、吸気管１２Ａに向かって流れる気体に向く方向であり、他の方向とは、例えば、吸気管１２Ｂに向かって流れる気体に向く方向である。
【００３８】
噴射口４２Ａの開口の面積は、噴射口４２Ｂの開口の面積と比べて大きく設定されている。また、前述したように、噴射口４２Ａの数と噴射口４２Ｂの数は等しい。また、前述したように、複数の噴射口４２Ａの面積は全て等しく、複数の噴射口４２Ｂの面積は全て等しい。これにより、一の方向に向く複数の噴射口４２Ａの総面積と、他の方向を向く複数の噴射口４２Ｂの総面積とを異なるものとしている。換言すれば、吸気管１２Ａに向かって流れる気体に向く複数の噴射口４２Ａの総面積を、吸気管１２Ｂに向かって流れる気体に向く複数の噴射口４２Ｂの総面積よりも大きいものとしている。即ち、吸気管１２Ａに向かって流れる気体に対しては、より多くの燃料ガスを噴射できることになる。
【００３９】
なお、前述の説明においては、吸気管１２Ａに向かって流れる気体に向く複数の噴射口４２Ａの総面積を、吸気管１２Ｂに向かって流れる気体に向く複数の噴射口４２Ｂの総面積よりも大きく設定したが、特にこの組み合わせに限定するものではない。実際には、流速が早い方の吸気管に向く複数の噴射口の総面積を、他の方向に向く複数の噴射口の総面積よりも大きくすれば良い。これは、気体の流速が速い方が、単位時間あたりに流れる燃料ガスの量、即ち、必要な燃料ガスの量が多くなる、ということから明らかである。
【００４０】
次に、本実施形態に係るガスエンジン１の気体の流れについて説明する。
吸気通路１０の図１で示す下方には、図示しないインタークーラが設置されている。インタークーラによって冷却された空気が、吸気通路１０の下方から吸気通路１０内を流れて上方に位置する分岐部１４側に向かう。このとき、吸気通路１０に挿入された燃料噴射手段３１から吸気通路１０内を流れる空気に向かって燃料ガスが噴射される。空気と空気に向かって噴射された燃料ガスは、分岐部１４に到達した後、吸気管１２Ａと吸気管１２Ｂとに導かれる。
【００４１】
前述の通り、吸気管１２Ａに向かって流れる気体に向く複数の噴射口４２Ａの総面積を、吸気管１２Ｂに向かって流れる気体に向く複数の噴射口４２Ｂの総面積よりも大きいものとしているので、吸気管１２Ａに向かって流れる気体に対しては、より多くの燃料ガスを噴射していて、吸気管１２Ｂに向かって流れる気体に対しては、より少ない燃料ガスを噴射している。
【００４２】
空気と燃料ガスとは、吸気通路１０内や吸気管１２Ａ，１２Ｂ内を流れるにつれ徐々に混合される。吸気管１２Ａ，１２Ｂ内で混合が進んだ混合気体は、吸気バルブ２０Ａ，２０Ｂが押し下げられ吸気口２２Ａ，２２Ｂが開状態となったときに燃焼室１８に導かれる。このとき、吸気管１２Ａと吸気管１２Ｂとは流路の形状が異なるので、流通する混合気体の流速は、吸気管１２Ａと吸気管１２Ｂとで異なる。このため、吸気通路１０内においても、吸気管１２Ａに向かう混合気体の流速と、吸気管１２Ｂに向かう混合気体の流速とが異なる。なお、ここでは、吸気管１２Ａ内を流れる混合気体の流速が、吸気管１２Ｂ内を流れる混合気体の流速よりも速いものと仮定している。即ち、吸気通路１０内において、吸気管１２Ａに向かう混合気体の流速が、吸気管１２Ｂに向かう混合気体の流速よりも速いものと仮定している。
【００４３】
それぞれの吸気管１２Ａ，１２Ｂを流れて燃焼室１８に導かれた空気と燃料ガスとの混合気体は、図示しない点火装置によって着火されて燃焼する。このとき、それぞれの吸気管１２Ａ，１２Ｂから導かれた混合気体に燃料濃度のばらつきがある場合、燃焼室１８での燃焼が不均一なものになり、ＮＯｘの発生、ノッキングの発生、未燃分の増加などの可能性が生じる。
【００４４】
本実施形態においては、以下の効果を奏する。
燃料噴射手段３１は、分岐部１４よりも気体の流れ方向の上流に設けられている。これによれば、吸気通路１０の下流に位置する吸気管１２Ａ，１２Ｂのそれぞれに燃料を直に噴射した場合と比べて、空気と燃料ガスとが混合し得る距離が長くなり、空気と燃料ガスとを均一に混合しやすくなる。
【００４５】
また、燃料噴射手段３１は、複数の吸気管１２Ａ，１２Ｂに対してそれぞれ異なる量の燃料を噴射できる。例えば、吸気通路１０内において、吸気管１２Ａに向かう混合気体の流速が、吸気管１２Ｂに向かう混合気体の流速よりも速いものとした場合、吸気管１２Ａに向かう気体の方向を向いている噴射口４２Ａの総面積を、吸気管１２Ｂに向かう気体の方向を向いている噴射口４２Ｂの総面積と比べて大きくすることができる。これにより、空気と燃料ガスとの混合気体の流速が早くなる吸気管１２Ａに対しては、燃料量を増加させて、気体の流速が遅くなる吸気管１２Ｂに対しては、燃料量を減少させることができる。これによって、それぞれの吸気管１２Ａ，１２Ｂを介して燃焼室１８に供給される混合気体の燃料濃度を吸気管１２Ａ，１２Ｂによらず均一にすることができる。ひいては、燃焼室１８における空気と燃料ガスとの混合気体の燃焼を均一化することができるので、ＮＯｘの発生、ノッキングの発生、未燃分の増加などの事象を抑制することができる。
【００４６】
〔第２実施形態〕
以下に、本発明の第２実施形態について図６を参照して説明する。本実施形態は第１実施形態に対して燃料噴射手段の形態が異なり、その他の点については同様である。したがって、第１実施形態と異なる点についてのみ説明し、その他は同一の符号を用いてその説明を省略する。
【００４７】
本実施形態の燃料噴射手段３２が備える噴射管４０は、図６（Ａ），（Ｂ），（Ｃ）に示すように、軸線方向に２列、軸線に対して対称（図６（Ｃ）で示す水平面に対してなす角θを参照）に、２つの方向にそれぞれ向けられた複数の噴射口４２が穿設されている。図６（Ａ），（Ｂ），（Ｃ）の場合、一の方向に向く複数の噴射口を噴射口４２Ａとし、他の方向を向く複数の噴射口を噴射口４２Ｂとしている。なお、噴射口４２Ａ，４２Ｂの１つ当たりの面積は等しい。ここで言う一の方向とは、例えば、吸気管１２Ａに向かって流れる気体に向く方向であり、他の方向とは、例えば、吸気管１２Ｂに向かって流れる気体に向く方向である。
【００４８】
噴射口４２Ａの数は、噴射口４２Ｂの数よりも多く穿設されている。また、前述したように、噴射口４２Ａ，４２Ｂの１つ当たりの面積は等しい。これにより、一の方向に向く複数の噴射口４２Ａの総面積と、他の方向を向く複数の噴射口４２Ｂの総面積とを異なるものとしている。換言すれば、吸気管１２Ａに向かって流れる気体に向く複数の噴射口４２Ａの総面積を、吸気管１２Ｂに向かって流れる気体に向く複数の噴射口４２Ｂの総面積よりも大きいものとしている。即ち、吸気管１２Ａに向かって流れる気体に対しては、より多くの燃料ガスを噴射できることになる。
【００４９】
なお、前述の説明においては、吸気管１２Ａに向かって流れる気体に向く複数の噴射口４２Ａの総面積を、吸気管１２Ｂに向かって流れる気体に向く複数の噴射口４２Ｂの総面積よりも大きく設定したが、特にこの組み合わせに限定するものではない。実際には、流速が早い方の吸気管に向く複数の噴射口の総面積を、他の方向に向く複数の噴射口の総面積よりも大きくすれば良い。これは、気体の流速が速い方が、単位時間あたりに流れる燃料ガスの量、即ち、必要な燃料ガスの量が多くなる、ということから明らかである。ここでは、吸気管１２Ａ内を流れる混合気体の流速が、吸気管１２Ｂ内を流れる混合気体の流速よりも速いものと仮定している。即ち、吸気通路１０内において、吸気管１２Ａに向かう混合気体の流速が、吸気管１２Ｂに向かう混合気体の流速よりも速いものと仮定している。
【００５０】
本実施形態においては、以下の効果を奏する。
吸気通路１０内において、吸気管１２Ａに向かう混合気体の流速が、吸気管１２Ｂに向かう混合気体の流速よりも速いものとした場合、吸気管１２Ａに向かう気体の方向を向いている噴射口４２Ａの総面積を、吸気管１２Ｂに向かう気体の方向を向いている噴射口４２Ｂの総面積と比べて大きくすることができる。これにより、空気と燃料ガスとの混合気体の流速が早くなる吸気管１２Ａに対しては、燃料量を増加させて、気体の流速が遅くなる吸気管１２Ｂに対しては、燃料量を減少させることができる。これによって、それぞれの吸気管１２Ａ，１２Ｂを介して燃焼室１８に供給される混合気体の燃料濃度を吸気管１２Ａ，１２Ｂによらず均一にすることができる。ひいては、燃焼室１８における空気と燃料ガスとの混合気体の燃焼を均一化することができるので、ＮＯｘの発生、ノッキングの発生、未燃分の増加などの事象を抑制することができる。
【００５１】
〔第３実施形態〕
以下に、本発明の第３実施形態について図７を参照して説明する。本実施形態は第１及び第２実施形態に対して燃料噴射手段の形態が異なり、その他の点については同様である。したがって、第１及び第２実施形態と異なる点についてのみ説明し、その他は同一の符号を用いてその説明を省略する。
【００５２】
本実施形態の燃料噴射手段３３は、複数の噴射口４２が軸線方向に一列に穿設された１本の噴射管４０を備えている。また、噴射管４０は、吸気管１２Ａに向かって流れる気体と吸気管１２Ｂに向かって流れる気体のうち、流れる気体の流速が速い方に寄せて配置されている。
【００５３】
なお、ここでは、吸気管１２Ａに向かう混合気体の流速が、吸気管１２Ｂに向かう混合気体の流速よりも速いものと仮定し、さらに、図７で示す吸気通路１０内において、左右に延びる軸線より下側に、主として吸気管１２Ａに向かう気体が流れるものと仮定している。そのため、図７において、噴射管４０は、主として吸気管１２Ａに向かう気体が流れる吸気通路１０（左右に延びる軸線より下側の吸気通路１０）に配置されている。
【００５４】
本実施形態においては、以下の効果を奏する。
複数の吸気管１２Ａ，１２Ｂに向かう気体の流れのうち、流速の速い気体の流れに噴射管４０を寄せて配置することで、気体の流速が早くなる吸気管１２Ａに対しては、燃料量を増加させて、気体の流速が遅くなる吸気管１２Ｂに対しては、燃料量を減少させることができる。これによって、それぞれの吸気管１２Ａ，１２Ｂを介して燃焼室１８に供給される混合気体の燃料濃度を吸気管１２Ａ，１２Ｂによらず均一にすることができる。ひいては、燃焼室１８における空気と燃料ガスとの混合気体の燃焼を均一化することができるので、ＮＯｘの発生、ノッキングの発生、未燃分の増加などの事象を抑制することができる。
【００５５】
なお、第１乃至第３実施形態の燃料噴射手段３１，３２，３３には、噴射管４０を軸前周りに回転可能な回転機構（図示せず）を備えていても良い（図８参照）。これによって、空気と燃料ガスとの混合を促進する最適な方向に燃料ガスを噴射できる。このとき、回転機構の駆動は、噴射管４０の回転角度を任意に調整でき、かつ、回転角度の情報を取得可能な、サーボモータ等が好ましい。回転角度は、例えば、予め得られたデータから作成されたガスエンジン１の出力と回転数のマップ（図９参照）を基に、実際のガスエンジン１の出力と回転数から図示しない制御部で一義的に決定される。
【００５６】
また、第１乃至第３実施形態の燃料噴射手段３１，３２，３３が備える噴射管４０に穿設された噴射口４２は、気体の流れ方向の下流側に向いて形成されていることが好ましい。具体的には、図５（Ｃ），図６（Ｃ），図８（Ｃ）で示す水平面に対してなす角θやφの範囲が、０°以上９０°以下とされていれば良い。これによれば、ガスエンジン１の低出力時に、仮に、シリンダ１６側から気体が逆流した場合でも、複数の噴射口４２から噴射される燃料ガスは、気体の上流側に噴射されないので、複数の噴射口４２から噴射された燃料ガスは上流側に逆流しにくくなる。これによって、燃料ガスが気体の下流側に設置されているインタークーラ（図示せず）側に逆流することを防ぐことができる。
【００５７】
また、第１乃至第３実施形態の燃料噴射手段３１，３２，３３の構成は、それぞれ組み合わせることができる。例えば、第１実施形態の燃料噴射手段３１が備える噴射管４０を、第３実施形態の燃料噴射手段３３のように、気体の流速が速い方に寄せて配置しても良い。
【００５８】
なお、ガスエンジン１を構成する他の部品（図示せず）の配置との関係で、吸気管１２Ａ，１２Ｂを吸気口２２Ａ，２２Ｂに向けて対称的に配置可能となり分岐後の流速が均一となる場合は、噴射口４２Ａ，４２Ｂから噴射される燃料量を吸気管１２Ａ，１２Ｂによって異なる量とする必要は無く、同量の燃料を噴射すればよい。
【符号の説明】
【００５９】
１  ガスエンジン
１０  吸気通路
１２Ａ，１２Ｂ  吸気管
１４  分岐部
１６  シリンダ
１６ａ  シリンダヘッド
１８  燃焼室
２０Ａ，２０Ｂ  吸気バルブ
２２Ａ，２２Ｂ  吸気口
３１，３２，３３  燃料噴射手段
４０  噴射管
４２（４２Ａ，４２Ｂ）  噴射口
【図１】
2019157819.tif 000003
【図２】
2019157819.tif 000004
【図３】
2019157819.tif 000005
【図４】
2019157819.tif 000006
【図５】
2019157819.tif 000007
【図６】
2019157819.tif 000008
【図７】
2019157819.tif 000009
【図８】
2019157819.tif 000010
【図９】
2019157819.tif 000011